(57)【特許請求の範囲】
【請求項１】
引戸に搭載する操作部と、引戸の上端に上向きに設置するロック部材とを備えてなり、前記操作部は、ガイドベースを介して引戸の片面に上下動可能に装着する引戸の開閉操作用の把手と、前記ガイドベースと対称に引戸の反対面に搭載する表示部と、前記ガイドベース、表示部の間に介装する引戸内の駆動部とを有し、該駆動部は、前記把手を上下に移動させると、連結材を介して前記ロック部材を上下の施錠位置、解錠位置に駆動し、前記表示部は、前記駆動部によるロック部材の駆動位置を外部に表示することを特徴とする引戸の施錠装置。
【請求項２】
前記ガイドベースには、前記把手と一体のラックに噛合する第１のピニオンを組み込み、前記駆動部には、前記第１のピニオンに連動し、前記連結材に形成するラックに噛合する第２のピニオンを組み込むことを特徴とする請求項１記載の引戸の施錠装置。
【請求項３】
前記表示部は、前記第１、第２のピニオンに共通の回転軸を介して回転駆動する表示板を備えることを特徴とする請求項２記載の引戸の施錠装置。
【請求項４】
前記連結材は、前記駆動部側の下部材と、前記ロック部材側の上部材とを伸縮可能に接続することを特徴とする請求項１ないし請求項３のいずれか記載の引戸の施錠装置。
【請求項５】
前記表示部には、引戸の開閉操作用の引手を一体に形成することを特徴とする請求項１ないし請求項４のいずれか記載の引戸の施錠装置。
【請求項６】
前記ガイドベース、表示部は、前記駆動部を貫通するねじを介して引戸の両面に固定することを特徴とする請求項１ないし請求項５のいずれか記載の引戸の施錠装置。
【発明の詳細な説明】
【技術分野】
【０００１】
この発明は、共通の把手を介して、引戸の開閉操作、施錠・解錠操作を片手で軽快に行うことができる引戸の施錠装置に関する。なお、この発明において、引戸とは、左右に開閉する引戸、吊戸、障子等の総称である。
【背景技術】
【０００２】
左右に開閉する引戸は、開閉操作用の引手を施錠・解錠操作用に共用することにより、一連の操作を円滑にし、外観の意匠性を向上させることができる。
【０００３】
たとえば、引戸形式の障子の戸先側の竪框に施錠用のフック部材を揺動可能に組み込み、竪框上の引手をフック部材に連動させることにより、障子の全閉時に自動的に障子を施錠するフック部材は、引手を介して障子を開放方向に駆動操作するだけで、障子を自動的に解錠することができる（特許文献１）。また、引戸の戸先側の竪框に回転式の鎌錠を組み込み、竪框に出没可能に付設する開閉操作用の引手を鎌錠に連動させることも知られている（特許文献２）。
【特許文献１】特開２０００−５４７１２号公報
【特許文献２】特開２００７−１０７３８１号公報
【発明の開示】
【発明が解決しようとする課題】
【０００４】
かかる従来技術によるときは、施錠用のフック部材や鎌錠は、引手とともに引戸の戸先側の竪框に組み付けられているから、操作位置が引戸の戸先側に限定されて操作上の自由度が制限される上、外観の意匠性を高くすることが必ずしも容易でないという問題があった。
【０００５】
そこで、この発明の目的は、かかる従来技術の問題に鑑み、引戸に搭載する操作部と、引戸の上端に設置するロック部材とを組み合わせることによって、必要な一連の操作を片手で軽快に実行することができる上、良好な意匠性を容易に実現することができる引戸の施錠装置を提供することにある。
【課題を解決するための手段】
【０００６】
かかる目的を達成するためのこの発明の構成は、引戸に搭載する操作部と、引戸の上端に上向きに設置するロック部材とを備えてなり、操作部は、ガイドベースを介して引戸の片面に上下動可能に装着する引戸の開閉操作用の把手と、ガイドベースと対称に引戸の反対面に搭載する表示部と、ガイドベース、表示部の間に介装する引戸内の駆動部とを有し、駆動部は、把手を上下に移動させると、連結材を介してロック部材を上下の施錠位置、解錠位置に駆動し、表示部は、駆動部によるロック部材の駆動位置を外部に表示することをその要旨とする。
【０００７】
なお、ガイドベースには、把手と一体のラックに噛合する第１のピニオンを組み込み、駆動部には、第１のピニオンに連動し、連結材に形成するラックに噛合する第２のピニオンを組み込むことができ、表示部は、第１、第２のピニオンに共通の回転軸を介して回転駆動する表示板を備えることができる。
【０００８】
また、連結材は、駆動部側の下部材と、ロック部材側の上部材とを伸縮可能に接続してもよく、表示部には、引戸の開閉操作用の引手を一体に形成してもよく、ガイドベース、表示部は、駆動部を貫通するねじを介して引戸の両面に固定してもよい。
【発明の効果】
【０００９】
かかる発明の構成によるときは、引戸の開閉操作用の把手は、ガイドベースを介して引戸の片面に上下動可能に装着されている。そこで、把手を介して引戸を全閉位置に閉じ、そのまま把手をたとえば下向きに移動させると、駆動部は、連結材を介して引戸の上端のロック部材を上方の施錠位置に駆動し、ロック部材を介して引戸を開放不能に施錠することができる。ただし、引戸の上方の上枠などの固定部材には、全閉時の引戸上のロック部材に対応するようにして、施錠位置のロック部材が下から係合する係合部が用意されているものとする。一方、全閉状態にして施錠されている引戸は、把手をたとえば上向きに移動させてロック部材を下の解錠位置に駆動することにより解錠され、そのまま把手を介して開放操作することができる。すなわち、引戸の開閉操作、施錠・解錠操作は、共通の把手を介し、片手で連続的に軽快に実行可能である。また、把手やロック部材の設置位置が引戸の竪框に限定されないから、操作上の自由度が高い上、竪框がない引戸にも容易に適用することができる。
【００１０】
なお、把手は、たとえば引戸の室内側の片面に装着し、全閉時の引戸を室内側から施錠する一方、室外側の表示部は、ロック部材の駆動位置、すなわち引戸の施錠状態を外部に表示することができる。ただし、把手、表示部は、それぞれ引戸の室外側、室内側に装着することも可能である。
【００１１】
把手用のガイドベースに組み込む第１のピニオンは、把手と一体のラックに噛合することにより、把手の上下動に従って正逆に回転する。一方、駆動部に組み込む第２のピニオンは、連結材に形成するラックに噛合するとともに、第１のピニオンに連動して正逆に回転することにより、把手の上下動に従って連結材を上下動させ、連結材を介してロック部材を上下の施錠位置、解錠位置に駆動することができる。
【００１２】
表示部は、第１、第２のピニオンに共通の回転軸を介して表示板を回転駆動することにより、把手の上下動によるロック部材の駆動位置、すなわち引戸の施錠状態を外部に表示することができる。ただし、第１、第２のピニオンは、それぞれ共通の回転軸に相対回転不能に組み合わせ、表示板は、たとえば表示窓を介して一部を外部に露出させることにより、回転位置を外部に表示させる。
【００１３】
下部材、上部材を伸縮自在に接続する連結材は、下部材、上部材の各上下動ストロークについて、たとえば前者より後者を小さくすることにより、把手の上下動ストロークよりロック部材の上下動ストロークを小さく設定し、両者の相対関係を適切に調節設定することができる。ただし、把手の上下動ストロークは、たとえば共通の回転軸上の第１、第２のピニオンのピッチ、歯数を揃えることにより、下部材の上下動ストロークに合わせることが好ましい。
【００１４】
引戸の開閉操作用の引手を表示部に一体に形成すれば、表示部側の引戸の外観を一層簡潔にまとめることができる。また、ガイドベース、表示部は、引戸内の駆動部を貫通するねじを介し、引戸の両面に一挙に簡単に固定することができる。
【発明を実施するための最良の形態】
【００１５】
以下、図面を以って発明の実施の形態を説明する。
【００１６】
引戸の施錠装置は、引戸３１に搭載する操作部１０と、引戸３１の上端に上向きに設置するロック部材２１とを備えてなる（図１、図２）。
【００１７】
引戸３１は、上枠３２ａ、戸先側、戸尻側の竪枠３２ｂ、３２ｃからなる戸枠３２に対し、左右に開閉可能に組み付けられている。なお、戸枠３２の戸尻側の約半分には、固定壁３２ｄが設けられており、引戸３１は、固定壁３２ｄの裏面側に引き込むようにして、引残しｗを残して開口部Ｗを全面開放することができる（図２の矢印Ｋ方向、二点鎖線）。なお、図２の引戸３１は、上枠３２ａ内の図示しないガイドレールから図示しない吊車を介して吊下する吊戸であって、全閉状態において、固定壁３２ｄ、竪枠３２ｂの各下端の幅木３２ｅ、３２ｅ相当の隙間Ｇを下部に形成している。ただし、引戸３１は、隙間Ｇを生じさせない吊戸であってもよく、上下の鴨居、敷居や、ガイドレールを介して左右に開閉する一般的な引戸または障子であってもよい。
【００１８】
操作部１０は、引戸３１の両面に装着する把手１１、表示部１２と、引戸３１内の駆動部１３とを備えており、ロック部材２１は、連結材２２を介して引戸３１内の駆動部１３と連結されている。把手１１は、ガイドベース１４を介して引戸３１の片面（室内側）に上下動可能に装着されており、表示部１２は、ガイドベース１４と対称に引戸３１の反対面（室外側）に搭載されている。また、表示部１２の下には、引戸３１の開閉操作用の引手１５が取り付けられている。
【００１９】
把手１１用のガイドベース１４は、２本のねじ１６、１６を介して、表示部１２とともに引戸３１の両面に固定されている（図１、図３）。ねじ１６、１６は、長いボルトであって、ガイドベース１４側から引戸３１内の駆動部１３を貫通させ、先端部を表示部１２の裏面側のソケット１２ａ、１２ａにねじ込んでいる（図３、図４）。ガイドベース１４の左右の側面には、それぞれ上下方向のガイド溝１４ａ、１４ａが形成され、把手１１は、内側の左右の係合板１１ａ、１１ａをガイド溝１４ａ、１４ａに摺動自在に係合させることにより、ガイドベース１４を介して上下方向にガイドされている。ただし、図３には、上下方向のラック１１ｂを形成する側の一方の係合板１１ａのみが図示されており、ラック１１ｂに対向し、ラックを形成しない側の他方の係合板１１ａは、図示が省略されている。
【００２０】
ガイドベース１４には、把手１１と一体のラック１１ｂに噛合する第１のピニオン１４ｂが内装されている。第１のピニオン１４ｂには、断面角形の回転軸１７の一端が駆動部１３側から差し込まれており、回転軸１７の他端は、駆動部１３を貫通させた上、表示部１２の表示板１２ｂの軸に連結されている。なお、表示板１２ｂは、表示部１２の表面側の表示窓１２ｃを介して一部を外部に露出させることにより、回転軸１７の回転角度を外部に表示することができる。ただし、表示板１２ｂは、軸まわりに色分けされており、軸端の非常用の操作溝１２ｄを介して、回転軸１７を外部から回転させることができる。
【００２１】
駆動部１３は、蓋１３ｂ付きのケース１３ａ内に、回転軸１７上の第２のピニオン１３ｃと、ばね１３ｄとを収納している（図３、図５）。ただし、図５（Ａ）、（Ｂ）は、それぞれ駆動部１３の分解斜視図、同図（Ａ）のＸ矢視相当拡大図である。なお、ケース１３ａには、板状の連結材２２の下端部が上下に摺動可能に貫通している。
【００２２】
連結材２２の下端部には、回転軸１７上の第２のピニオン１３ｃに噛合する上下方向のラック２２ａが形成されている。なお、ラック２２ａは、連結材２２の下端部の長孔２２ｂの片側の長辺に形成されている。長孔２２ｂは、第２のピニオン１３ｃを収納し、駆動部１３を貫通するねじ１６、１６に干渉することなく、連結材２２を所定の上下動ストロークだけ上下に相対移動させることができる。
【００２３】
ばね１３ｄは、ケース１３ａ内の短軸１３ｅに取り付けられている。また、第２のピニオン１３ｃは、ケース１３ａ、蓋１３ｂに形成する丸孔１３ｆ、１３ｆを介して回転自在に保持されており、ケース１３ａ側には、ワッシャ１３ｇが付設されている。ばね１３ｄの一端は、ケース１３ａの一方の側壁の内面に係合し、他端は、回転軸１７の外周に弾発的に係合することにより、回転軸１７の回転に対して軽い断続的なブレーキ力を発現させている（図５（Ｂ）の実線、二点鎖線）。ただし、ばね１３ｄ用の短軸１３ｅは、ケース１３ａに対し、図示と反対側の側壁に近い位置に設け、ばね１３ｄは、回転軸１７に対し、図５（Ｂ）の右上方向から弾発的に係合させてもよい。
【００２４】
ロック部材２１は、連結材２２の上端に連結されている（図１、図３）。ロック部材２１は、上部開放のガイドケース２１ａに上下動可能に収納され、取付ベース２１ｂを介して引戸３１の上端に上向きに設置されている。なお、ガイドケース２１ａは、取付ねじ２１ｃ、２１ｃを介して取付ベース２１ｂにねじ止めされ、取付ベース２１ｂは、取付ねじ２１ｄ、２１ｄ…を介して引戸３１にねじ止めされている。ロック部材２１は、連結材２２を上下に駆動することにより、引戸３１の上端に突出して上枠３２ａに係合する施錠位置（図１の実線、図２）と、ガイドケース２１ａ内に下降する解錠位置（図１の二点鎖線）とをとることができる。なお、上枠３２ａには、全閉時の引戸３１上のロック部材２１に対応するようにして、ロック部材２１が下から係合する図示しない係合部が形成されている。
【００２５】
引戸３１は、ロック部材２１が解錠位置にある限り、室外側の引手１５または室内側の把手１１を介して左右に開閉操作可能である。また、引戸３１は、全閉状態に閉じた上、把手１１を介して室内側からロック部材２１を上方の施錠位置に駆動し、開放不能に施錠することができる。
【００２６】
すなわち、引戸３１を全閉に閉じ、把手１１を下方に移動させると（図１、図３の各矢印Ｋ1 方向）、把手１１内のラック１１ｂを介してガイドベース１４内の第１のピニオン１４ｂが駆動され、回転軸１７が回転駆動される（図３の矢印Ｋ2 方向）。そこで、回転軸１７上の駆動部１３内の第２のピニオン１３ｃが同方向に回転駆動され、第２のピニオン１３ｃ、ラック２２ａを介して連結材２２が上方に駆動され（図３の矢印Ｋ3 方向）、ロック部材２１を上の施錠位置に駆動することができる。なお、このとき、回転軸１７とともに表示部１２の表示板１２ｂが回転し、表示板１２ｂを介して引戸３１の施錠状態が外部に表示される。ただし、図１〜図４には、把手１１を下降させ、連結材２２を上昇させてロック部材２１を施錠位置に駆動した状態が図示されている。
【００２７】
施錠状態の引戸３１を解錠するときは、把手１１を上向きに移動させ、ラック１１ｂ、第１のピニオン１４ｂ、回転軸１７、第２のピニオン１３ｃ、ラック２２ａ、連結材２２を介してロック部材２１を下の解錠位置に駆動すればよい。また、このときも、表示部１２には、引戸３１の解錠状態が表示される。なお、室内側から施錠された引戸３１は、表示部１２の非常用の操作溝１２ｄにねじ回しなどを適用することにより、必要に応じて室外側から解錠することも可能である。また、回転軸１７は、ばね１３ｄを介して断続的なブレーキ力が付与されているため、把手１１による施錠・解錠操作の際に、適切なクリック感を得ることができる。
【００２８】
以上の説明において、引戸３１上の把手１１の近傍には、把手１１による引戸３１の施錠・解錠方向を表示するために、上向き、下向きの矢印を有する指示銘板１１ｃを付設することができる（図６）。なお、図６には、把手１１を下向きに駆動して引戸３１を施錠するとき、把手１１の下から表われる補助銘板１１ｄが併せて図示されており、補助銘板１１ｄは、把手１１を上向きに駆動して引戸３１を解錠すると、把手１１によって隠蔽されるものとする（同図の二点鎖線）。
【他の実施の形態】
【００２９】
連結材２２は、駆動部１３側の下部材２２ｃと、ロック部材２１側の上部材２２ｄとを伸縮可能に接続することができる（図７、図８）。ただし、図８（Ａ）、（Ｂ）は、それぞれ図７のロック部材２１を施錠位置、解錠位置に駆動した状態を示す図１相当の要部拡大断面図である。
【００３０】
下部材２２ｃの上端部には、上下方向の長孔２２ｃ1 、２２ｃ1 が２列に形成されている。また、上部材２２ｄの下端部には、下部材２２ｃを上下方向にガイドする左右のガイドリブ２２ｄ1 、２２ｄ1 が形成され、上部材２２ｄは、下部材２２ｃの長孔２２ｃ1 、２２ｃ1 に挿通する連結ピン２２ｄ2 、２２ｄ2 を介して下部材２２ｃと伸縮可能に連結されている。上部材２２ｄの上端は、連結ピン２２ｅを介して、ガイドケース２１ａ内のロック部材２１に連結されている。また、ロック部材２１は、ばね２１ｅとともにボール２１ｆ、２１ｆを横孔２１ｇに収納し、ガイドケース２１ａ側に上下２段に形成する孔２１ａ1 、２１ａ1 …の上段側または下段側の各一対にボール２１ｆ、２１ｆを弾発的に係合させることにより、上の施錠位置（図８（Ａ））、または下の解錠位置（同図（Ｂ））のいずれか一方に安定に位置決めすることができる。
【００３１】
下部材２２ｃの下端の駆動部１３を介して下部材２２ｃを上下に駆動し、上部材２２ｄを介してロック部材２１を上下の施錠位置、解錠位置に駆動するとき、上部材２２ｄ、ロック部材２１の上下動ストロークａは、ガイドケース２１ａの上下の孔２１ａ1 、２１ａ1 の間隔に相当している。一方、下部材２２ｃは、ロック部材２１を上の施錠位置に突き上げるとき、上部材２２ｄ側の各連結ピン２２ｄ2 が対応する長孔２２ｃ1 の下端に位置し（図８（Ａ））、ロック部材２１を下の解錠位置に引き下げるとき、各連結ピン２２ｄ2 が長孔２２ｃ1 の上端に位置するように（同図（Ｂ））、上部材２２ｄに対して相対移動する。
【００３２】
そこで、各長孔２２ｃ1 の有効長さｂとすると、下部材２２ｃの上下動ストロークｃは、ｃ＝ａ＋ｂ＞ａとなる。すなわち、一般に、把手１１内のラック１１ｂと第１のピニオン１４ｂ、第２のピニオン１３ｃと連結材２２側のラック２２ａは、それぞれのピッチ、歯数を揃えることにより把手１１、連結材２２、ロック部材２１の各上下動ストロークを同一に揃えるが、連結材２２を下部材２２ｃ、上部材２２ｄに分割して両者を伸縮可能に接続することにより、把手１１と同一の上下動ストロークｃの下部材２２ｃに対し、上下動ストロークａ＜ｃの上部材２２ｄ、ロック部材２１を実現することができる。
【００３３】
表示部１２には、引戸３１の開閉操作用の引手１８を一体に形成してもよい（図９）。ただし、図９（Ａ）は、図１相当の要部図であり、同図（Ｂ）、（Ｃ）は、それぞれ同図（Ａ）のＹ矢視相当拡大図、Ｚ−Ｚ線矢視相当拡大図である。
【００３４】
引手１８は、埋込み形の引手１５に代えて、引戸３１の表面上に高く突出する摘み形に形成されている。また、引手１８の台座部分は、表示部１２を下側に延長して形成されており、引戸３１に向けて突出する回り止め用の突部１８ａが裏面側に形成されている。
【００３５】
以上の説明において、把手１１、ロック部材２１は、それぞれの上下動方向を反対方向とするに代えて、同一方向としてもよい。たとえば図５（Ａ）において、連結材２２のラック２２ａを長孔２２ｂの反対側の長辺に形成することにより、把手１１を上向きに移動させてロック部材２１を上の施錠位置に駆動し、下向きに移動させて下の解錠位置に駆動することができる。
【図面の簡単な説明】
【００３６】
【図１】全体構成縦断面図
【図２】引戸の正面図（室外側）
【図３】全体分解斜視図
【図４】要部分解斜視図
【図５】要部構成説明図
【図６】要部正面図（室内側）
【図７】他の実施の形態を示す要部分解斜視図
【図８】図７の構成説明図
【図９】他の実施の形態を示す構成説明図
【符号の説明】
【００３７】
１０…操作部
１１…把手
１１ｂ…ラック
１２…表示部
１２ｂ…表示板
１３…駆動部
１３ｃ…第２のピニオン
１４…ガイドベース
１４ｂ…第１のピニオン
１６…ねじ
１７…回転軸
１８…引手
２１…ロック部材
２２…連結材
２２ａ…ラック
２２ｃ…下部材
２２ｄ…上部材
３１…引戸
特許出願人          小松ウオール工業株式会社
代理人  弁理士                松  田  忠  秋
【図１】
0005111130.tif 000002
【図２】
0005111130.tif 000003
【図３】
0005111130.tif 000004
【図４】
0005111130.tif 000005
【図５】
0005111130.tif 000006
【図６】
0005111130.tif 000007
【図７】
0005111130.tif 000008
【図８】
0005111130.tif 000009
【図９】
0005111130.tif 000010